(57)【要約】【課題】変形を防止した包装用容器を提供する。【解決手段】底部１０から上方へ突き出てさらに一方の縦壁２２０から他方の縦壁２２０まで横方向に延びて底部を仕切る横仕切部１１０と、底部１０から上方へ突き出てさらに縦方向に延びて横仕切部１１０と横壁２１０との間を仕切る複数の縦仕切部１２０と、を備え、一部の前側の縦仕切部と後側の縦仕切部とが上記横仕切部につながって、平面視で中心から四方に延びた十字型の連結部１３０を構成し、横仕切部１１０の上端部は凹凸型に形成されており、連結部の中心が最も高い位置に設けられ、少なくとも一部の傾斜部が連結部の中心から距離を置いて設けられている。【選択図】図８
2017088249.tif 000002
【特許請求の範囲】
【請求項１】
食品を載せる底部と、上記底部の左右の縁から立ち上がり縦方向に延びた縦壁と、上記底部の前後の縁から立ち上がり横方向に延びた横壁と、を備えた包装用容器であって、
上記底部から上方へ突き出てさらに一方の縦壁から他方の縦壁まで横方向に延びて上記底部を仕切る横仕切部と、
上記底部から上方へ突き出てさらに縦方向に延びて上記横仕切部と上記横壁との間を仕切る複数の縦仕切部と、を備え、
上記横仕切部の上端部は、最も高い位置に形成された部分と、この部分より下方で高さの異なる複数の低い位置に形成された部分と、を備えて、凹凸型に形成されていることを特徴とする、包装用容器。
【請求項２】
上記縦仕切部が上記横仕切部につながって、平面視で中心から四方に延びた十字型の連結部をさらに備え、
上記連結部の中心が上記の最も高い位置に設けられていることを特徴とする、請求項１に記載の包装用容器。
【請求項３】
上記横仕切部の上端部は、高さが異なる部分の間で斜めに延びた傾斜部を備えており、
少なくとも一部の上記傾斜部が上記連結部の中心から距離を置いて設けられていることを特徴とする、請求項２に記載の包装用容器。
【請求項４】
上記横仕切部は、低く形成される複数の箇所の内、少なくとも一部が他の箇所より幅を狭く形成されていることを特徴とする、請求項１から請求項３の何れかに記載の包装用容器。
【請求項５】
横方向で隣り合う上記縦仕切部は互いに形状が異なることを特徴とする、請求項１から請求項４の何れかに記載の包装用容器。
【請求項６】
上記縦壁と上記横壁とは内側に出っぱっていて更に上下に延びた複数の補強部を備え、
上記横壁の補強部は、上記縦仕切部に対応した位置に設けられ、さらに上記縦壁の補強部より幅を大きく形成されていることを特徴とする、請求項１から請求項５の何れかに記載の包装用容器。
【請求項７】
上記横壁は、隣り合う上記補強部の間で、一方の補強部から他方の補強部までに亘り更に上記底部に隣接した下部を、内側へ出っぱらせて形成されていることを特徴とする、請求項６に記載の包装用容器。
【請求項８】
上記縦仕切部は、平面視で弧状に形成されていることを特徴とする、請求項１から請求項７の何れかに記載の包装用容器。
【発明の詳細な説明】
【技術分野】
【０００１】
本発明は、プラスチック製の包装用容器に関する。
【背景技術】
【０００２】
ワンウェイの包装用容器は、底部とその周縁から立ち上がった側部とで囲われる内側へ食品を入れる際、小分けにして入れることができるよう、仕切部を設けている。仕切部は弁当容器であれば、米飯とおかずとを分けて入れることができるよう、また餃子や焼売などの食品容器であれば、食品を個々に載せる領域を区画するように設けられている。
【０００３】
プラスチック製の従来の包装用容器では、仕切部が底部と一体に構成されている。例えば、底部の一部が上方へ突出して形成されている。餃子用容器は、横長で外形を矩形型に形成された底部で横方向に長く伸びる横仕切部と、さらに複数の餃子を向きを揃えて並べるよう縦方向に延びる複数の縦仕切部とを備えている。
【先行技術文献】
【特許文献】
【０００４】
【特許文献１】意匠登録第１４１１１０２号公報
【発明の概要】
【発明が解決しようとする課題】
【０００５】
従来の包装用容器において、横仕切部が同じ高さで長く構成されていると、例えば餃子用容器を長手方向の端側で掴み持ち上げると、包装用容器が餃子の重みで横仕切部の中間部分で折れて、餃子が包装用容器から落ちてしまう事態が起こり得る。このような包装用容器の変形を防ぐために、各部を厚く構成することが考えられるが、材料費が嵩み望ましくない。
【０００６】
本発明は、変形を防止した包装用容器を提供することを目的とする。
【課題を解決するための手段】
【０００７】
本発明は、食品を載せる底部と、上記底部の左右の縁から立ち上がり縦方向に延びた縦壁と、上記底部の前後の縁から立ち上がり横方向に延びた横壁と、を備えた包装用容器であって、上記底部から上方へ突き出てさらに一方の縦壁から他方の縦壁まで横方向に延びて上記底部を仕切る横仕切部と、上記底部から上方へ突き出てさらに縦方向に延びて上記横仕切部と上記横壁との間を仕切る複数の縦仕切部と、を備えている。上記横仕切部の上端部は、最も高い位置に形成された部分とこの部分より下方で高さの異なる複数の低い位置に形成された部分とを備えて、凹凸型に形成されている。
【０００８】
本発明は、食品を載せる底部と、上記底部の左右の縁から立ち上がり縦方向に延びた縦壁と、上記底部の前後の縁から立ち上がり横方向に延びた横壁と、を備えた包装用容器であって、上記底部から上方へ突き出てさらに一方の縦壁から他方の縦壁まで横方向に延びて上記底部を仕切る横仕切部と、上記底部から上方へ突き出てさらに縦方向に延びて上記横仕切部と上記横壁との間を仕切る複数の縦仕切部と、を備えている。さらに、一部の前側の縦仕切部と後側の縦仕切部とが上記横仕切部につながって、平面視で中心から四方に延びた十字型の連結部を構成している。上記横仕切部の上端部は、最も高い位置に形成された部分と、この部分より下方で高さの異なる複数の低い位置に形成された部分と、高さが異なる部分の間で斜めに延びた傾斜部と、が連なって凹凸型に形成されている。上記連結部の中心が上記の最も高い位置に設けられ、少なくとも一部の上記傾斜部が上記連結部の中心から距離を置いて設けられている。
本発明は、好ましくは、上記横仕切部が、低く形成される複数の箇所の内、少なくとも一部が他の箇所より幅を狭く形成されている。横方向で隣り合う上記縦仕切部が互いに形状が異ならせたり、上記縦壁と上記横壁とが、内側に出っぱっていて更に上下に延びた複数の補強部を備えることが望ましい。上記横壁の補強部は、上記縦仕切部に対応した位置に設けられ、さらに上記縦壁の補強部より幅を大きく形成されている。
【発明の効果】
【０００９】
本発明によれば、底部を横断する横仕切部が、部分的に低く形成されているので、包装用容器の剛性を高めることができる。これにより、横仕切部の途中で、包装用容器が折れ曲がるなどの変形を防止できる。
【図面の簡単な説明】
【００１０】
【図１】本発明の実施形態の包装用容器を示す平面図である。
【図２】（ａ）は図１のＡ−Ａ線に沿った包装用容器の断面図であり、（ｂ）は図１のＢ−Ｂ線に沿った包装用容器の断面図であり、（ｃ）は図１のＣ−Ｃ線に沿った包装用容器の断面図である。
【図３】図２（ｃ）の円Ｄで囲った周辺を拡大した図である。
【図４】図１の包装用容器の変形例を示す平面図である。
【図５】（ａ）と（ｂ）は図４の包装用容器の使用方法を説明するための図である。
【図６】（ａ）は図１の包装用容器の連結部周辺を拡大した斜視図であり、（ｂ）は（ａ）の矢印Ｅの方向から見た連結部周辺を示す図である。
【図７】（ａ）と（ｂ）は図１の包装用容器の側部の変形例を示す部分斜視図である。
【図８】本発明の実施例の包装用容器を示す斜視図である。
【図９】本発明の実施例の包装用容器を示す平面図である。
【図１０】（ａ）は本発明の実施例の包装用容器を示す正面図であり、（ｂ）は本発明の実施例の包装用容器を示す背面図であり、（ｃ）は本発明の実施例の包装用容器を示す左側面図である。
【図１１】本発明の実施例の包装用容器を示す底面図である。
【図１２】（ａ）は図９のＦ−Ｆ線に沿った包装用容器の断面図であり、（ｂ）は図９のＧ−Ｇ線に沿った包装用容器の断面図であり、（ｃ）は図９のＪ−Ｊ線に沿った包装用容器の断面図である。
【図１３】図９のＫ−Ｋ線に沿った包装用容器の断面図である。
【図１４】（ａ）と（ｂ）とは、本発明の他の実施形態の包装用容器を示す平面図である。
【図１５】（ａ）と（ｂ）とは、本発明の他の実施形態の包装用容器を示す平面図である。
【図１６】図１４（ｂ）のＣ′―Ｃ′に沿った包装用容器の断面図である。
【図１７】図１４（ａ）と（ｂ）の包装用容器の横仕切部を説明するための図である。
【発明を実施するための形態】
【００１１】
図１は本発明の実施形態の包装用容器１を示す平面図である。包装用容器１は、食品を載せる底部１０と、底部１０の周縁から立ち上がった側部２０と、側部２０の上端から外側へ延びたフランジ部３０と、を備えている。側部２０は、底部１０の前側と後側に設けられ横方向に延びた横壁２１０と、底部１０の左側と右側に設けられ縦方向に延びた縦壁２２０とから構成されている。側部２０は各側面の高さを揃えて形成され、さらに側部２０の高さが底部１０の縦と横の寸法と比べて小さく設定されていて、包装用容器１は浅いトレー型に形成されている。
【００１２】
包装用容器１は、内側を仕切るために、横方向に延びた横仕切部１１０と、縦方向に延びた縦仕切部１２０とを備えている。
【００１３】
横仕切部１１０は、底部１０の領域の一部が上方へ突き出て形成されている。横仕切部１１０は、図２（ａ）に示す縦方向に沿った断面の形状が、底部１０から立ち上がり向かい合った一対の側面（以下、横仕切側面１１０Ａと呼ぶ。）と、横仕切側面１１０Ａの端をつないで高い部分を構成する頂部（以下、横仕切頂部１１０Ｂと呼ぶ。）とで逆Ｕ字型に構成されていて、平面視で、左側の縦壁２２０から右側の縦壁２２０まで横方向に延びている。二つの横仕切側面１１０Ａは、横仕切頂部１１０Ｂ側が先細になるよう傾いて、テーパーを構成している。以下、底部１０で横仕切部１１０より前側の領域を『前側底部』、後側の領域を『後側底部』と呼ぶ。
【００１４】
縦仕切部１２０は、前側底部と後側底部とにそれぞれ複数設けられている。縦仕切部１２０は、底部１０の領域の一部が上方へ突き出て形成されている。縦仕切部１２０は、図２（ｂ）に示す横方向に沿った断面の形状が、底部１０から立ち上がり向かい合った一対の側面（以下、縦仕切側面１２０Ａと呼ぶ。）と、縦仕切側面１２０Ａの端をつないで高い部分を構成する頂部（以下、縦仕切頂部１２０Ｂと呼ぶ。）とで逆Ｕ字型に構成されていて、平面視で縦方向に延びている。二つの縦仕切側面１２０Ａは、縦仕切頂部１２０Ｂ側が先細になるよう傾いて、テーパーを構成している。
【００１５】
複数の縦仕切部１２０は、前側底部と後側底部とを複数の領域（以下、小領域１１と呼ぶ。）に分けるよう、例えば等間隔で横に並んでいる。前側底部の縦仕切部１２０と後側底部の縦仕切部１２０とは、横仕切部１１０の位置を基準として対称に設けられている。
【００１６】
一部の縦仕切部１２０は長手方向の一方の端部が横仕切部１１０につながっている。縦に並んだ前側底部の縦仕切部１２０と後側底部の縦仕切部１２０とが横仕切部１１０につながって、平面視で中心１３１から四方に延びた十字型の連結部１３０を構成している。横仕切側面１１０Ａと縦仕切側面１２０Ａとのつながり部分が入隅を構成する。
【００１７】
図２（ｃ）は横仕切部１１０の長手方向に沿った断面を表していて、横仕切部１１０の上端部は、底部１０からの高さが全長に亘って一定に設定されておらず、最も高い位置に形成される部分と、この部分より低い位置に形成される部分と、高さの異なる部分の間に設けられる傾斜部１４５とが長手方向に並んで凹凸型に形成されている。図２（ｃ）の一点鎖線は底部１０と縦壁２２０とを表している。
【００１８】
図３に示すように、底部１０から所定の高さ（Ｈ１）を最も高い位置として、この位置より下方で異なる高さ（Ｈ２，Ｈ３）の複数の位置を低い位置として設定している。低い位置は、高さがＨ２とＨ３だけに限らず、例えば二点鎖線で示す高さ（Ｈ４）の位置や図示省略する高さ（Ｈ４）より低い位置などを複数設けてもよい。
【００１９】
側部２０の底部１０からの鉛直方向の寸法（高さ）をＨとすると、例えばＨ／２＜Ｈ１＜２Ｈ／３の範囲に設定されている。段階的に設定された各高さ（Ｈ１〜Ｈ４）のギャップは同じ寸法に限定されるものではない。なお、側部２０の高さは、底部１０に食品を載せた際、食品全体が内側に入ることができる大きさに設定され、横仕切部１１０の上端部で最も低い位置が、例えば側部２０の高さＨの三分の一より高い位置に設けられている。
【００２０】
傾斜部１４５は図３に実線で示すように、曲面状に高さが徐々に高く或いは低く形成されていて、高さが異なる部分をつないでいる。連結部１３０の中心１３１が最も高い位置（高さＨ１）に設けられており、横仕切部１１０は、連結部１３０の中心１３１とその近傍を除いて、その全長に亘って断面が逆Ｕ字型に構成されている。
【００２１】
フランジ部３０は、図２に示すように、側部２０の上端から横へ延びた横延長部３１０と、横延長部３１０の端から下方へ延びた下延長部３２０と、下延長部３２０の下端から横に出た横延長部３３０とを備えている。
【００２２】
包装用容器１は、底部１０と側部２０とフランジ部３０とが樹脂材で一体に構成されている。原料は限定されるものではないが、ポリプロピレンなどを利用することができる。包装用容器１は、ポリプロピレンで構成された樹脂シートを加熱した後に容器型に賦形し、さらに裁断装置で樹脂シートから分離した個々の成形品を冷却して、製造することができる。
【００２３】
包装用容器１は、複数の縦仕切部１２０と一つの横仕切部１１０とで底部１０を複数の小領域１１に区画し、個々の小領域１１に食品を載せて、使用することができる。また、内側に食品を入れた包装用容器１は、ラップを掛けることができる。ラップは、包装用容器１の上方で広げ、側部２０のフランジ部３０を利用してラップの余剰の部分を折り返して底面へまわし、ラップ端部を包装用容器１の底面で重ね合わせることで、包装用容器１の全体を包むことができる。
【００２４】
食品を載せた包装用容器１を長手方向の片側を掴んで持ち上げると、従来の包装用容器で起こり得た包装用容器の折れ曲がりなどの事態に対して、横仕切部１１０が、縦仕切部１２０とつながって高い強度を持った連結部１３０に加えて、連結部１３０の中心１３１からずれた位置に高さを低く設定して強度を高める部分を複数設けているので、包装用容器１は、内側を前後に仕切りつつ剛性を向上させることができる。これにより、食品を入れた包装用容器１の持ち運びを円滑に行える。
【００２５】
以下、包装用容器１の変形例について説明する。
（横仕切部の幅）
横仕切部１１０は、図４に示すように長手方向の一部が底部１０からの立ち上り部分の幅、つまり対向する横仕切側面１１０Ａの間隔が他の部分より狭くなるように設定されている。以下、このように幅が狭い部分を幅狭部１５０と呼ぶ。横仕切部１１０は上端部を低い位置に配置した箇所を幅狭部１５０として形成すると、包装用容器１の強度が向上する。
【００２６】
また、底面で、横仕切部１１０によって出来た凹んだ溝１６０の内、幅狭部１５０に対応した部分が狭く形成される。このような一部幅の狭い溝を底面に設けた包装用容器１の取扱方法として、包装機械を用いた包装用容器１へのラップ掛けは、図５（ａ）に示すように、ラップ２が食品を入れた包装用容器１の上に広げられ、さらに包装用容器１がラップの下方から持ち上げられてラップ２が包装用容器１に被さる。次に、図５（ｂ）で、破線で示すラップ２の余剰の部分をフランジ部３０で折り返して底面側にまわし、実線で示すようにラップ２の端部を底面で重ねる。さらに包装機械が、ラップ２の重なる部分を底面の溝１６０の位置で例えば板状の加熱部３を当てて溶着することで、包装用容器１は全体をラップで包まれる。
【００２７】
溝１６０の幅が広いとラップ２の端部同士のつながりが場合によって弱くなり得るが、横仕切部１１０が部分的に幅狭部１５０で形成されているので、幅狭部１５０で出来た溝部分でラップ２の重なり部分を加熱部３で溶かして強固につなぐことができる。これにより顧客が食品を使用するまで、ラップ２で包んだ状態を一層維持することができる。
【００２８】
（傾斜部の配置）
傾斜部１４５は、横仕切部１１０で各小領域１１に隣接した部分に複数設けられている。一部の傾斜部１４５は連結部１３０の中心１３１から離れた箇所に設けられている。図６（ａ）は連結部１３０周辺の斜視図であり、連結部１３０の中心１３１より左側と右側に複数の傾斜部１４５を設けている。
【００２９】
図６（ｂ）は図６（ａ）を矢印Ｅの向きから見た図であり、上記の所定の高さ（Ｈ１、Ｈ２、Ｈ３）に配置される部分が上を向いているのに対し、傾斜部１４５は、これらの部分とは異なる方向を向いている。連結部１３０の中心１３１より左側で、符号Ｎ１の傾斜部１４５は左上を向き、符号Ｎ２の傾斜部１４５が右上を向いて、斜めに延びている。連結部１３０の中心１３１より右側にもこのような傾斜部１４５が設けられている。なお図６（ｂ）の破線は縦仕切部１２０を表している。
【００３０】
包装用容器１は、各小領域１１に隣接してそれぞれ複数の傾斜部１４５を設けることで剛性を高めることができ、これにより連結部１３０の中心１３１より離れた位置での折れ曲がりを一層防止することができる。
【００３１】
（縦仕切部の形状）
前側底部と後側底部で隣り合う縦仕切部１２０が異なる形状である。縦仕切部１２０として、縦方向の長さ、底部１０から突き出る高さ、横仕切部１１０と前後の横壁２１０とに対する端部のつながり関係などを変えて、異なる形に構成したものを複数利用する。これらの配置としては、好ましくは、同じ形の縦仕切部１２０が前側底部と後側底部で横に並ばないように配置する。
【００３２】
寸法として、縦方向に沿った長さ、横方向に沿った幅、底部１０からの高さを変える。高さは、互いの高さを変える他、一つの縦仕切部１２０の中で一部を低くしたり高くしたりして異なる高さの部分が連なるよう形成してもよい。また、幅も、高さのように、互いの幅を異ならせる他、一つの縦仕切り部の中で一部を広くしたり狭くしてもよい。
【００３３】
横仕切部１１０と前後の横壁２１０とに対する端部のつながり関係として、一方の端部を横仕切部１１０につなげ他方の端部を前後の横壁２１０につなげたり、一方の端部を横仕切部１１０と前後の横壁２１０の何れかにつなげたり、両側の端部を横仕切部１１０と前後の横壁２１０との何れとも離れて設けるように配置する。
【００３４】
底部１０が、形の異なる複数の縦仕切部１２０を、連結部を除いて互いに離して設けることで、底部１０の縦と横方向での折れ曲がりに加えてねじれに対して、強度を高めることができる。
【００３５】
（側部の補強）
側部２０は、図７（ａ）に示すように、内側に出っぱっていて、さらに上下に延びた補強部を備えている。補強部は、横仕切部１１０と平行に配置される前後の横壁２１０と、左右の縦壁２２０とにそれぞれ複数設けられる。横壁２１０に設けられる補強部２１１は、縦壁２２０の補強部２２１と比べて幅などの寸法を大きく設定されていて、内側に突き出るものを利用する。包装用容器１は、横壁２１０が補強部２１１を備えることで、横方向の途中での折れ曲がりを一層防止できる。
【００３６】
さらに、横壁２１０は、図７（ｂ）に示すように、底部１０に隣接していて補強部２１１の間の下部２１２を、一方の補強部２１１から他方の補強部２１１までに亘って内側へ出っぱらせて形成されている。包装用容器１は、横壁２１０の下部２１２を補強したことで横方向の途中での折れ曲がりを一層防止できる。なお、包装用容器１は、変形例の幅狭部１５０、縦仕切部１２０、補強部２１１などを組み合わせて、構成されてもよい。
【実施例】
【００３７】
図８は実施例の包装用容器１Ａを示す斜視図であり、図９は包装用容器１Ａを示す平面図であり、図１０（ａ）は包装用容器１Ａを示す正面図であり、図１０（ｂ）は包装用容器１Ａを示す背面図であり、図１０（ｃ）は包装用容器１Ａを示す左側面図であり、図１１は包装用容器１Ａを示す底面図である。右側面図は左側面図と同一に表れるため省略している。
【００３８】
包装用容器１Ａは、外形を横長の矩形型に形成された底部１０と、底部１０の周縁から延長した側部２０と、側部２０から外側に形成されたフランジ部３０とを備えている。包装用容器１Ａは浅いトレー型に形成されている。
【００３９】
側部２０は、底部１０の前後の縁から立ち上がり横方向へ延びた横壁２１０と、底部１０の左右の縁から立ち上がり縦方向へ延びた縦壁２２０と、を備え、これらが底部１０の隅でつながって角部２３０を構成している。
【００４０】
包装用容器１Ａでは、横仕切部１１０が底部１０を前後の中間位置で横断して前側底部と後側底部とに分けている。前側底部と後側底部とには、それぞれ縦仕切部１２０が七つ設けられている。横仕切部１１０を境に、縦仕切部１２０が前側と後側で対称に配置されている。前側底部と後側底部とは、これらの縦仕切部１２０によって同じ食品を個々に載せる大きさで、８つの小領域１１に区分けされている。
【００４１】
後側の縦仕切部１２０について説明するが、前側のものはこれと対称に形成されている。包装用容器１Ａでは、３タイプの縦仕切部１２０を用いている。
【００４２】
横に並んだ七つの内、左端と右端の縦仕切部１２０（以下、第１縦仕切部１２１と呼ぶ。）は、長手方向の端部が横仕切部１１０と横壁２１０とにつながって後側底部を縦断している。図１２（ａ）は図９のＦ−Ｆ線に沿った包装用容器１Ａの断面図である。図１２の一点鎖線は底部１０と横壁２１０とを表している。
【００４３】
長手方向の中間部が高い位置に配置され、端部が高さを低く設定されている。横仕切部側の端部は、側部２０の高さＨの四分の一より高い位置に設けられている。横壁側の端部は、横仕切部側の端部より低く形成され、さらに側部２０の高さＨの五分の一より高い位置に設けられている。中間部は、連結部１３０の中心１３１より低い位置に設けられている。横仕切頂部１１０Ｂは一方の端部から他方の端部まで曲面状に形成されている。また図９に示すように、中間部が両端部より左側にずれて、平面視で弧状に曲りながら、縦方向へ延びている。
【００４４】
左から二番目の縦仕切部１２０（以下、第２縦仕切部１２２と呼ぶ。）では、一方の端部が横仕切部１１０につながり、他方の端部が横壁２１０と距離を置いて設けられている。図１２（ｂ）は図９のＧ−Ｇ線に沿った包装用容器１Ａの断面図である。第２縦仕切部１２２は、横壁２１０と対向する端部を除いて、連結部１３０の中心１３１側から一定の高さで形成されている。横壁２１０側の端部は、横壁２１０側へ延び更に高さを徐々低くして底部１０につながっている。第２縦仕切部１２２の高さは、上記の第１縦仕切部１２１の中間部より高く形成されている。この第２縦仕切部１２２も、第１縦仕切部１２１と同様に、平面視で弧状に曲りながら、縦方向に延びている。中央（外側から四番目）と右から二番目の縦仕切部１２０も、第２縦仕切部１２２で構成されている。
【００４５】
左から三番目に設けられる縦仕切部１２０（以下、第３縦仕切部１２３と呼ぶ。）は、第２縦仕切部１２２とは逆に、外側の端部が横壁２１０につながり、内側の端部が横仕切部１１０と距離を置いて設けられている。図１２（ｃ）は図９のＪ−Ｊ線に沿った包装用容器１Ａの断面図である。長手方向の中間部が高い位置に配置され、横壁２１０側の端部が高さを低く設定されていて、側部２０の高さＨの四分の一より高い位置に設けられている。横壁２１０側の端部は、第１縦仕切部１２１の横壁２１０側の端部より、高く形成されている。内側の端部は、横仕切部１１０側へ延び更に高さを徐々に低くして底部１０につながっている。中間部は、第１縦仕切部１２１の中間部と同じ高さに設定されている。横仕切頂部１１０Ｂは一方の端部から他方の端部まで曲面状に形成されている。第３縦仕切部１２３も、第１縦仕切部１２１と同様に、平面視で弧状に曲りながら、縦方向に延びている。右から三番目の縦仕切部１２０も、第３縦仕切部１２３で構成されている。
【００４６】
これらの３タイプの縦仕切部（１２１，１２２，１２３）は、隣におなじ形のものが並ばないよう配置されている。
【００４７】
図１３は図９のＫ−Ｋ線に沿った包装用容器１Ａの断面図であり、横仕切部１１０は、上端部が長手方向の各部で異なる高さに配置されて凹凸型に形成されている。底部１０から上方へ離れた位置（高さ）が四段階に設定されている。以下、最も高い位置（高さＨ１）に形成された部分を最高部１４０と呼び、最高部１４０から一段低い位置（高さＨ２）に形成された部分を第１低部１４１と呼び、この第１低部１４１からさらに一段低い位置（高さＨ３）に形成された部分を第２低部１４２と呼び、第２低部１４２からさらに一段低い位置（高さＨ４）に形成された部分を第３低部１４３と呼ぶ。
【００４８】
横仕切部１１０と縦仕切部１２０とがつながって平面視で十字型に形成された連結部１３０が五カ所設けられている。図１３では、各連結部１３０を区別するために、左のものから順に、１３０Ａ，１３０Ｂ，１３０Ｃ，１３０Ｄ，１３０Ｅの符号を付けている。また図１３の二点鎖線は連結部１３０を構成する縦仕切部１２０（１２１，１２２）を表し、一点鎖線は底部１０と縦壁２２０とを表している。
【００４９】
底部１０の左端寄りに設けられた連結部１３０（図１３では符号１３０Ａ）は、第１縦仕切部１２１と横仕切部１１０とで構成されている。図８や図１３に示すように横仕切部１１０が第１縦仕切部１２１より高い位置まで立ち上がっていて、第１縦仕切部１２１の低い端部は横仕切部１１０の側面につながっている。連結部１３０の中心１３１が、横仕切部１１０の最も高い位置（Ｈ１）に設けられている。
【００５０】
連結部１３０の左側は、図１３に示すように、近いものから順に、低い側へ延びる傾斜部１４５と、低い第３低部１４３とが設けられている。この傾斜部１４５は、最高部１４０から三段階低くなった位置まで延びていて斜面の長さが他の箇所に設けられる傾斜部１４５より長く設定される。連結部１３０の右側は、低い側へ延びる傾斜部１４５と、第１低部１４１と、高い側へ延びる傾斜部１４５とが設けられている。これらの傾斜部１４５は、連結部１３０に隣接する小領域１１（左から一番目と二番目の領域）の横幅の範囲内で、その中間に対応した横仕切部１１０の位置に設けられている。
【００５１】
第１縦仕切部１２１の端部は、図９に示すように横仕切部１１０へ近づくにつれて縦仕切頂部１２０Ｂの幅が広くなるように形成されている。なお、横仕切部１１０は、連結部１３０の左側で第３低部１４３の幅を広く形成されている。この第３低部１４３の横仕切頂部１１０Ｂが、徐々に高くなりながら縦壁２２０につながっている。
【００５２】
左から二番目の連結部１３０（図１３では符号１３０Ｂ）は、第２縦仕切部１２２と横仕切部１１０とで構成されている。図８や図１３に示すように第２縦仕切部１２２と横仕切部１１０とが底部１０から高い位置まで立ち上がって形成されている。連結部１３０の中心１３１が、横仕切部１１０の最も高い位置（Ｈ１）に設けられていて、前側と後側の第２縦仕切部１２２の縦仕切頂部１２０Ｂがこの中心１３１につながっている。
【００５３】
連結部１３０の左側には、図１３に示すように近いものから順に、低い側へ延びた傾斜部１４５と、第１低部１４１と、高い側へ延びる傾斜部１４５とが設けられている。連結部１３０の右側には、近いものから順に、低い側へ延びた傾斜部１４５と、第１低部１４１と、さらに低い側へ延びる傾斜部１４５と、第２低部１４２とが設けられている。縦仕切側面１２０Ａと横仕切側面１１０Ａとがつながって入隅を構成し、これらの入隅は底部１０から高い位置まで形成されている。
【００５４】
連結部１３０の中心１３１に隣接した傾斜部１４５は、中心１３１寄りの高い側が幅を広く、離れた低い側を狭く形成されている。また、連結部１３０の左側と右側には、連結部１３０の中心１３１より離れた位置に傾斜部１４５が形成されている。これらの傾斜部１４５は、連結部１３０に隣接する小領域１１（左から二番目と三番目の領域）の横幅の範囲内で、その中間に対応した横仕切部１１０の位置に設けられている。
【００５５】
底部１０の中央に設けられる連結部１３０（図１３では符号１３０Ｃ）は、左から二番目の連結部１３０と同様に、第２縦仕切部１２２と横仕切部１１０とで構成されている。図８や図１３に示すように第２縦仕切部１２２と横仕切部１１０とが底部１０から高い位置まで立ち上がって形成されている。連結部１３０の中心１３１が、横仕切部１１０の最も高い位置（Ｈ１）に設けられていて、前側と後側の第２縦仕切部１２２の縦仕切頂部１２０Ｂがこの中心１３１につながっている。
【００５６】
連結部１３０の左側には、図１３に示すように近いものから順に、低い側へ延びる傾斜部１４５と、第１低部１４１と、高い側へ延びる傾斜部１４５と、最高部１４０と、低い側へ延びる傾斜部１４５と、第２低部１４２とが設けられている。連結部１３０の右側には、近いものから順に、低い側へ延びる傾斜部１４５と、第１低部１４１と、さらに低い側へ延びる傾斜部１４５、第２低部１４２とが設けられている。
【００５７】
連結部１３０の中心１３１に隣接した傾斜部１４５は、中心１３１寄りの高い側が幅を広く、離れた低い側を狭く形成されている。また、連結部１３０の左側と右側には、連結部１３０の中心１３１より離れた位置に傾斜部１４５が形成されている。これらの傾斜部１４５は、連結部１３０に隣接する各小領域１１（左から四番目と五番目の領域）の横幅の範囲内で、その中間に対応した横仕切部１１０の位置に設けられている。また、傾斜部１４５は、第３縦仕切部１２３と縦に並ばないよう、横にずらして配置されている。
【００５８】
右から二番目の連結部１３０（図１３では符号１３０Ｄ）は、左から二番目の連結部１３０と同様に、第２縦仕切部１２２と横仕切部１１０とで構成されている。図８や図１３に示すように第２縦仕切部１２２と横仕切部１１０とが底部１０から高い位置まで立ち上がって形成されている。連結部１３０の中心１３１が、横仕切部１１０の最も高い位置（Ｈ１）に配置されていて、前側と後側の第２縦仕切部１２２の縦仕切頂部１２０Ｂがこの中心１３１につながっている。
【００５９】
連結部１３０の左側には、図１３に示すように近いものから順に、低い側へ延びる傾斜部１４５と、第１低部１４１と、高い側へ延びる傾斜部１４５と、最高部１４０と、低い側へ延びる傾斜部１４５と、第２低部１４２が設けられている。連結部１３０の右側には、近いものから順に、中心１３１から横に延びた最高部１４０と、低い側へ延びる傾斜部１４５と、第１低部１４１と、高い側へ延びる傾斜部１４５と、最高部１４０とが設けられている。この連結部１３０は、中央の連結部１３０と比べて、中心１３１から右側へ延びる横仕切部１１０の形状が異なる。
【００６０】
連結部１３０の中心１３１に隣接した傾斜部１４５は、中心１３１寄りの高い側が幅を広く、離れた低い側を狭く形成されている。また、連結部１３０の左側と右側には、連結部１３０の中心１３１より離れた位置に傾斜部１４５が形成されている。これらの傾斜部１４５は、連結部１３０に隣接する小領域１１（右から二番目と三番目の領域）の横幅の範囲内で、その中間に対応した横仕切部１１０の位置に設けられている。
【００６１】
右端寄りの連結部１３０（図１３では符号１３０Ｅ）は、左端寄りの連結部１３０（図１３では符号１３０Ａ）と同様に、第１縦仕切部１２１と横仕切部１１０とで構成されている。図８や図１３に示すように横仕切部１１０が第１縦仕切部１２１より高い位置まで立ち上がっていて、第１縦仕切部１２１の低い端部は横仕切部１１０の側面につながっている。この連結部１３０は、左端寄りの連結部１３０と比べて、中心１３１から右側を左側より低く形成している。連結部１３０の中心１３１が、横仕切部１１０の最も高い位置（Ｈ１）に配置されている。連結部１３０の左側は、図１３に示すように近いものから順に、横に延びた最高部１４０と、低い側へ延びる傾斜部１４５と、第１低部１４１とが設けられている。連結部１３０の右側は、近いものから順に、低い側へ延びる傾斜部１４５と、低い第３低部１４３とが設けられている。
【００６２】
連結部１３０の左側と右側には、連結部１３０の中心１３１より離れた位置に傾斜部１４５が形成されている。これらの傾斜部１４５は、連結部１３０に隣接する小領域１１（右から一番目と二番目の領域）の横幅の範囲内で、その中間に対応した横仕切部１１０の位置に設けられている。
【００６３】
第１縦仕切部１２１の端部は、図８に示すように横仕切部１１０へ近づくにつれて縦仕切頂部１２０Ｂの幅が広くなるように形成されている。なお、横仕切部１１０は、連結部１３０の右側で第３低部１４３の幅を広く形成されている。この第３低部１４３の横仕切頂部１１０Ｂが、徐々に高くなりながら右側の縦壁２２０につながっている。
【００６４】
横仕切部１１０は、高い部分と低い部分（第１低部１４１，第２低部１４２，第３低部１４３）と傾斜部１４５とが横に不規則に並んで、上端部を凹凸型に形成されている。さらに、横仕切部１１０では、内側の三つの連結部１３０（図１３では符号１３０Ｂ，１３０Ｃ，１３０Ｄ）の間隔は、左端寄りの二つの連結部１３０（図１３では符号１３０Ａと１３０Ｂ）の間隔と比べて広く設定されている。さらに内側三つの連結部１３０の間では、上端部が第１低部１４１と第２低部１４２とで段差状に形成されている。この第２低部１４２は、幅を横仕切部１１０の他の部位より狭くした幅狭部１５０で構成されている。この幅狭部１５０は、連結部１３０間の横仕切部１１０で、最も長く形成されており、一つの小領域１１の横方向の寸法に相当する長さに設定されている。
【００６５】
二つの横壁２１０と二つの縦壁２２０とは、高さを揃えて構成されている。横壁２１０と縦壁２２０は上下に延びた補強部２１１，２２１を複数備えている。横壁２１０では、第１縦仕切部１２１及び第３縦仕切部１２３とつながる部分、第２縦仕切部１２２と対向する部分が内側へ突き出て形成されている。
【００６６】
図８と図９とに示すように第１縦仕切部１２１がつながる箇所に設けられた補強部（以下、第１補強部２１１Ａと呼ぶ。）は、上下に延びていて第１縦仕切部１２１側を向いた対向部２１３と、対向部２１３の左端と右端から外側へ延長した二つの延長部２１４とで、断面をコ字型に形成されている。対向部２１３は、横壁２１０の上縁の高さから下方へ延びていて、さらに低くなるにつれて幅が広がっている。対向部２１３は、第１縦仕切部１２１の低い端部の縦仕切頂部１２０Ｂにつながっている。左右の延長部２１４は、底部１０寄りの部分が第１縦仕切部１２１の低い端部の縦仕切側面１２０Ａにつながっている。
【００６７】
図８と図９とに示すように第２縦仕切部１２２を縦方向に延長させた位置に設けられる補強部（以下、第２補強部２１１Ｂと呼ぶ。）は、第１補強部２１１Ａと同様に、上下に延びていて第２縦仕切部１２２側を向いた対向部２１３と、対向部２１３の左右の端から外側へ延長した二つの延長部２１４とで、断面をコ字型に形成されている。対向部２１３は、横壁２１０の上縁の高さから底部１０まで延びていて、さらに低くなるにつれて幅が広がっている。
【００６８】
図８と図９とに示すように第３縦仕切部１２３がつながる箇所に設けられた補強部（以下、第３補強部２１１Ｃと呼ぶ。）は、横壁２１０中間より下方を内側へ突き出して形成されている。第３補強部２１１Ｃ、上下に延びていて第３縦仕切部１２３側を向いた対向部２１３と、対向部２１３の左右の端から外側へ延長した二つの延長部２１４とで、断面をコ字型に形成されている。対向部２１３は、横壁２１０の高さ方向で中間の位置から内側へ出っぱり、下方へ延びており、第３縦仕切部１２３の低い端部の縦仕切頂部１２０Ｂにつながっている。左右の延長部２１４は、底部１０寄りの下部が第３縦仕切部１２３の低い端部の縦仕切側面１２０Ａにつながっている。
【００６９】
横壁２１０は、図８に示すように隣り合う補強部２１１の間で、下部２１２を内側へ出っぱらせている。また、この下部２１２は、一方の補強部２１１から他方の補強部２１１まで横方向に延びており、その横方向の全体に亘って断面が図１２（ａ）に示すように弧状に形成されている。
【００７０】
また、横壁２１０には、上記の補強部２１１の間で上下に延びた他の補強部２１５を設けており、この補強部２１５は上記の補強部２１１と比べ、内側への突き出る程度を小さく設定されている。この補強部２１５は、横壁２１０の上縁から下部２１２まで延びている。
【００７１】
縦壁２２０は、横壁２１０の補強部２１５と同形状の補強部２２１を複数備えている。補強部２２１は、縦壁２２０の上縁から底部１０へ向けて上下に延びていて、弧状の断面で形成されている。この補強部２２１は、横壁２１０の補強部２１１に比べて、内側への突き出る程度を小さく設定されている。
【００７２】
また、底部１０は、横仕切部１１０が縦壁２２０とつながる周辺を一段高く形成している。縦壁２２０は、縦壁２２０の中間と各角部２３０との間に、それぞれ四つの補強部２１５を設けていて、これらの内、角部側から三番目の補強部２１５が、第１縦仕切部１２１まで延びている。
【００７３】
さらに、底部１０は、隅部１２を除いて、外形を横長の小判状に形成され上方へ膨らんだ凸部１７１と窪んだ凹部１７２とを各小領域１１で縦に交互に並ぶように設けている。凸部１７１や凹部１７２の底部１０に対する高さや深さ方向の寸法は非常に小さく設定されていて、数値は限定されるものではないが例えば０．５ｍｍから１ｍｍである。底部１０には、凸部１７１より上方へ突き出た他の凸部１７３が、横壁２１０の下部２１２に隣接して設けられている。
【００７４】
包装用容器１Ａは、ポリプロピレンで構成されたシートを加熱し軟化した状態で成型装置によって容器型に賦形し、裁断装置で分離後に冷却して製造することができる。包装用容器１Ａは、数値が限定されるものではないが、例えば縦１７ｃｍ、横２５ｃｍ、高さ２．６ｃｍの半透明のトレー型であり、各部の厚みが０．３３ｍｍ〜０．４ｍｍで構成されている。横仕切部１１０と複数の縦仕切部１２０とが底部１０を区切るように設けられていて、一つの小領域１１は縦７０ｍｍ、横２３ｍｍの縦長に形成されていて餃子等の食品を載せることができる。
【００７５】
横仕切部１１０が部分的に低く形成されていることに加えて、高さなどを変えた三つの縦仕切部１２０（１２１，１２２，１２３）が底部１０に並んで設けられ、複数の上下に延びた補強部２１１，２１３，２２１や内側へ出っぱる下部２１２が側部２０に設けられて、包装用容器１Ａは長手方向の途中での折れ曲がりだけでなく、容器全体のねじれに対しても高い剛性を発揮することができる。
【００７６】
例えば、食品を入れた包装用容器１Ａを長手方向の片側を掴んで持ち上げることができ、取扱いが便利である。さらに包装用容器１Ａが強度を高く構成することができるので、厚みを薄くして包装用容器１Ａを製造することができる。これにより使用材料が少なくなり、製造費用を低減できる。また、横仕切部１１０が広い底部１０を横断し、複数の縦仕切部１２０では互いに形の異なる縦仕切部１２０が隣に並んでいる等、包装用容器１Ａは従来の餃子用容器と異なり良好な美観を呈する。
【００７７】
（他の実施形態）
図１４と図１５で（ａ）と（ｂ）とは、本発明の他の実施形態の包装用容器４，５，６，７を示す平面図である。これらの包装用容器４，５，６，７は、食品を載せる底部１０と、底部１０の周縁から立ち上がった側部２０と、側部２０の上端から外側へ延びたフランジ部３０と、を備えている。側部２０は、底部１０の前側と後側に設けられ横方向に延びた横壁２１０と、底部１０の左側と右側に設けられ縦方向に延びた縦壁２２０とから構成されている。側部２０は各側面の高さを揃えて形成され、さらに側部２０の高さが底部１０の縦と横の寸法と比べて小さく設定されていて、包装用容器１と同様に浅いトレー型に形成されている。以下、包装用容器１と同様の構成には同じ符号を付して、それらの説明を省略する。
【００７８】
図１４（ａ）の包装用容器４は、上記包装用容器１と比べて連結部１３０を備えずに構成されており、横方向に延びた横仕切部１１０と縦方向に延びた縦仕切部１２０とが離れて設けられている。横仕切部１１０は、底部１０の領域の一部が上方へ突き出て形成されていて、平面視で、左側の縦壁２２０から右側の縦壁２２０まで横方向に延びており、全体に亘って縦方向に沿った断面の形状が、底部１０から立ち上がり向かい合った一対の横仕切側面１１０Ａと、横仕切側面１１０Ａの端をつないで高い部分を構成する横仕切頂部１１０Ｂとで逆Ｕ字型に構成されている。
【００７９】
横仕切部１１０の上端部は、上記包装用容器１と同様に、底部１０からの高さが全長に亘って一定に設定されておらず、最も高い位置（Ｈ１）に形成される部分と、この部分より低い位置（Ｈ２，Ｈ３）に形成される部分と、高さの異なる部分の間に設けられる傾斜部１４５とが長手方向に並んで凹凸型に形成されている。
【００８０】
図１４（ｂ）の包装用容器５は、上記包装用容器１と比べて連結部１３０の構成が異なり、包装用容器５では連結部１３０′が、前後に並んだ縦仕切り部１２０の一方が横仕切部１１０につながって平面視でＴ字型に形成されている。
【００８１】
包装用容器５の横仕切部１１０では、縦方向に沿った断面の形状が、縦仕切り部１２０がつながる連結部１３０′を除いて、一対の横仕切側面１１０Ａと横仕切頂部１１０Ｂとで逆Ｕ字型に構成されていて、横仕切部１１０は平面視で、左側の縦壁２２０から右側の縦壁２２０まで横方向に延びている。
【００８２】
包装用容器５の横仕切部１１０の上端部も、底部１０からの高さが全長に亘って一定に設定されておらず、最も高い位置（Ｈ１）に形成される部分と、この部分より低い位置（Ｈ２，Ｈ３）に形成される部分と、高さの異なる部分の間に設けられる傾斜部１４５とが長手方向に並んで凹凸型に形成されている。
【００８３】
ここで、図１６は図１４（ｂ）のＣ′―Ｃ′に沿った包装用容器５の断面図であり、横仕切部１１０とフランジ部３０を実線で表し、縦仕切部１２０を破線で表し、底部１０と縦壁２２０とを一点鎖線で表している。包装用容器５では、左側の連結部１３０′と右側の連結部１３０′の構成が異なる。左側の連結部１３０′では横仕切部１１０と縦仕切部１２０とが高さを違えて構成され、右側では横仕切部１１０と縦仕切部１２０とが同じ高さに設定されている。さらに左側の連結部１３０′では中心１３１が最も高い位置（高さＨ１）に設けられ、右側の連結部１３０′では中心１３１が高さ（Ｈ２）に設けられている。
【００８４】
図１７は横仕切部１１０の上端部の凹凸形状を説明するための図であり、高さが異なる部分をつなぐ傾斜部１４５は、図１７で実線で表すように、急峻に形成されていてもよい。なお、図１７で一点鎖線は底部１０の位置を表している。
【００８５】
図１５（ａ）の包装用容器６は、上記包装用容器５と比べて、一方の連結部１３０が平面視で十字型に形成されている。図１４（ｂ）の包装用容器５と図１５（ａ）の包装用容器６とでは、一部の縦仕切部１２０が横仕切部１１０につながって連結部１３０，１３０′を構成しているが、図１５（ｂ）の包装用容器７では、全ての縦仕切部１２０が横仕切部１１０につながって連結部１３０を六つ設けている。なお、包装用容器７は、全ての連結部１３０が平面視で十字型に形成されているが、一部が平面視でＴ字型の連結部１３０′として構成されてもよい。
【００８６】
包装用容器７の横仕切部１１０も、縦方向に沿った断面の形状が、連結部１３０を除いて、一対の横仕切側面１１０Ａと横仕切頂部１１０Ｂとで逆Ｕ字型に構成されていて、横仕切部１１０は平面視で、左側の縦壁２２０から右側の縦壁２２０まで横方向に延びている。
【００８７】
包装用容器７の横仕切部１１０の上端部も、底部１０からの高さが全長に亘って一定に設定されておらず、最も高い位置（Ｈ１）に形成される部分と、この部分より低い位置（Ｈ２，Ｈ３）に形成される部分と、高さの異なる部分の間に設けられる傾斜部１４５とが長手方向に並んで凹凸型に形成されている。包装用容器７の連結部１３０は、上記包装用容器１，４等のように、隣の連結部１３０，１３０′と異なる形に構成されてもよい。
【００８８】
包装用容器４，５，６，７は、上記包装用容器１のように、幅狭部１５０を設けるよう横仕切部１１０の幅を部分的に変えたり、小領域１１毎に傾斜部１４５を配置したり、隣り合う縦仕切部１２０の形状や横壁２１０や横仕切部１１０とのつながり方などを変えたり、補強部２１１などを設けて側部２０を補強して、構成されてもよい。例えば、図１４（ａ）の包装用容器４や図１５（ｂ）の包装用容器７は、全ての縦仕切部１２０が横壁２１０へつながるように構成してもよい。
【００８９】
包装用容器４，５，６，７は、上記包装用容器１と同様に、底部１０を横断する横仕切部１１０が、部分的に低く形成されているので、包装用容器４，５，６，７の剛性を高めることができる。これにより、横仕切部１１０の途中で、包装用容器４，５，６，７が折れ曲がるなどの変形を防止できる。
【００９０】
（その他）
本発明は、餃子用容器に限らず、内側に仕切りを設けた包装用容器に適用することができ、例えば焼売、小龍包、さらにコロッケなどの冷凍食品を個々に入れるよう、横仕切部１１０，縦仕切部１２０の配置、また高さの寸法等を変えて構成して利用できる。底部１０の縦と横の比率や大きさも、上記説明の包装用容器１，１Ａ，４，５，６，７の構成に限定されるものではない。また底部１０の外形を円形状に形成し、横壁２１０を弓なりに横方向に延ばし、縦壁２２０も弓なり縦方向に延ばして、包装用容器を構成してもよい。
【符号の説明】
【００９１】
１，１Ａ，４，５，６，７  包装用容器
２        ラップ
１０      底部
１１      小領域
１２      隅部
１１０    横仕切部
１１０Ａ  横仕切側面
１１０Ｂ  横仕切頂部
１２０    縦仕切部
１２０Ａ  縦仕切側面
１２０Ｂ  縦仕切頂部
１２１    第１縦仕切部
１２２    第２縦仕切部
１３０，１３０′    連結部
１３１    中心
１４０    最高部
１４１    第１低部
１４２    第２低部
１４３    第３低部
１４５    傾斜部
１５０    幅狭部
１６０    溝
１７１，１７３  凸部
１７２    凹部
２０      側部
２１０    横壁
２１１    補強部
２１１Ａ  第１補強部
２１１Ｂ  第２補強部
２１１Ｃ  第３補強部
２１２    下部
２１２    対向部
２１３    延長部
２２０    縦壁
２２１    補強部
２３０    角部
３０      フランジ部
【図１】
2017088249.tif 000003
【図２】
2017088249.tif 000004
【図３】
2017088249.tif 000005
【図４】
2017088249.tif 000006
【図５】
2017088249.tif 000007
【図６】
2017088249.tif 000008
【図７】
2017088249.tif 000009
【図８】
2017088249.tif 000010
【図９】
2017088249.tif 000011
【図１０】
2017088249.tif 000012
【図１１】
2017088249.tif 000013
【図１２】
2017088249.tif 000014
【図１３】
2017088249.tif 000015
【図１４】
2017088249.tif 000016
【図１５】
2017088249.tif 000017
【図１６】
2017088249.tif 000018
【図１７】
2017088249.tif 000019